(57)【要約】【課題】装置構成が煩雑となることなく、研磨剤を効率的に回収することのできる表面処理装置を提供する。【解決手段】被処理材Ｂの表面Ｂ１にブラスト処理用の研磨剤Ｐを噴射する噴射ノズル１１、および噴射された研磨剤Ｐを吸引エアＶＡによって吸引する吸引孔１２を備えるバキュームブラストヘッド１０と、被処理材の表面に向けてエアを噴射して、噴射された研磨剤を取り囲むエアカーテンＡＣを形成するエアカーテン形成部１６と、エアカーテンおよび吸引エアの間において、被処理材に向けて、エアカーテンを形成するエアよりも圧力の低い補助エアを噴射する補助エア噴射部１７と、を有する表面処理装置１である。【選択図】図２
2017081730.tif 000002
【特許請求の範囲】
【請求項１】
被処理材の表面にブラスト処理用の研磨剤を噴射する噴射ノズル、および噴射された前記研磨剤を吸引エアによって吸引する吸引孔を備えるバキュームブラストヘッドと、
前記被処理材の表面に向けてエアを噴射して、前記噴射された研磨剤を取り囲むエアカーテンを形成するエアカーテン形成部と、
前記エアカーテンおよび前記吸引エアの間において、前記被処理材に向けて、前記エアカーテンを形成するエアよりも圧力の低い補助エアを噴射する補助エア噴射部と、を有する表面処理装置。
【請求項２】
前記補助エア噴射部によって噴射される前記補助エアは、前記被処理材の前記表面に近づくにつれて、内方に傾斜するように噴射される請求項１に記載の表面処理装置。
【請求項３】
前記エアカーテン形成部によって形成される前記エアカーテンは、前記被処理材の前記表面に近づくにつれて、外方に傾斜するように形成される請求項１または２に記載の表面処理装置。
【請求項４】
被処理材の表面にブラスト処理用の研磨剤を噴射するとともに、噴射された前記研磨剤を吸引エアによって吸引する表面処理方法であって、
前記被処理材の表面に向けてエアを噴射して、前記噴射された研磨剤を取り囲むエアカーテンを形成し、
前記エアカーテンおよび前記吸引エアの間において、前記被処理材に向けて、前記エアカーテンを形成するエアよりも圧力の低い補助エアを噴射する表面処理方法。
【請求項５】
前記補助エアは、前記被処理材の前記表面に近づくにつれて内方に傾斜するように噴射される請求項４に記載の表面処理方法。
【請求項６】
前記エアカーテンは、前記被処理材の前記表面に近づくにつれて、外方に傾斜するように形成される請求項４または５に記載の表面処理方法。
【発明の詳細な説明】
【技術分野】
【０００１】
本発明は、表面処理装置および表面処理方法に関する。
【背景技術】
【０００２】
近年、軽量化の観点から、車両の車体構造において、炭素繊維強化プラスチック（ＣＦＲＰ）が使用されている。ＣＦＲＰにより車体構造を製造する際には、部材同士を接着剤により接合する。この場合、接着の前処理として、部材としての被処理材の表面に、例えば、バキュームブラスト処理によって、ブラスト処理が行われる。【０００３】
バキュームブラスト処理では、被処理材に研磨剤を噴射して、被処理材の表面を粗面化することによって、接着面積を増大させ、接着強度を向上させる。また、被処理材に噴射された研磨剤および研磨剤を被処理材に噴射することによって生じた粉塵等を吸引し、研磨剤と粉塵等を分類して、研磨剤を回収することによって、研磨剤を再度利用する。【０００４】
以上のようにバキュームブラスト処理では、研磨剤を再利用してブラスト処理を行うため、研磨剤を効率的に回収することが求められている。【０００５】
これに関連して、例えば下記の特許文献１には、噴射ノズルおよび被処理材の全体を、処理室によって覆った状態で、被処理材のブラスト処理を行う方法が開示されている。
【先行技術文献】
【特許文献】
【０００６】
【特許文献１】特開２００１−３３４４６６号公報
【発明の概要】
【発明が解決しようとする課題】
【０００７】
しかしながら、特許文献１に記載の方法では、被処理材を覆う処理室が必要となるため、装置構成が煩雑となるという問題がある。【０００８】
本発明は、上記の課題を解決するためになされたものであり、装置構成が煩雑となることなく、研磨剤を効率的に回収することのできる表面処理装置および表面処理方法を提供することを目的とする。
【課題を解決するための手段】
【０００９】
上記目的を達成する本発明に係る表面処理装置は、バキュームブラストヘッドと、エアカーテン形成部と、補助エア噴射部と、を有する。バキュームブラストヘッドは、被処理材の表面にブラスト処理用の研磨剤を噴射する噴射ノズル、および噴射された前記研磨剤を吸引エアによって吸引する吸引孔を備える。エアカーテン形成部は、前記被処理材の表面に向けてエアを噴射して、前記噴射された研磨剤を取り囲むエアカーテンを形成する。補助エア噴射部は、前記エアカーテンおよび前記吸引エアの間において、前記被処理材に向けて、前記エアカーテンを形成するエアよりも圧力の低い補助エアを噴射する。【００１０】
また、上記目的を達成する本発明に係る表面処理方法は、被処理材の表面にブラスト処理用の研磨剤を噴射するとともに、噴射された前記研磨剤を吸引エアによって吸引する。前記被処理材の表面に向けてエアを噴射して、前記噴射された研磨剤を取り囲むエアカーテンを形成する。前記エアカーテンおよび前記吸引エアの間において、前記被処理材に向けて、前記エアカーテンを形成するエアよりも圧力の低い補助エアを噴射する。
【発明の効果】
【００１１】
上記の表面処理装置および表面処理方法によれば、エアカーテンによって、研磨剤が噴射された空間が取り囲まれる。このため、ブラスト処理が行われるブラスト空間を閉空間とすることができる。よって、研磨剤が、ブラスト空間から外部に放出することを防止できる。また、補助エアは、エアカーテンおよび吸引エアの間において、被処理材に向けて噴射される。このため、エアカーテンおよび吸引エアの間において滞留する研磨剤に対して、補助エアを噴射する。このとき、補助エアの圧力は、エアカーテンを形成する圧力よりも低いため、安定したブラスト空間を形成することができる。この結果、滞留していた研磨剤は、滞留状態が解除され、吸引エアによって吸引孔を介して回収される。したがって、研磨剤を効率的に回収することができる。また、噴射ノズルおよび被処理材の全体を覆う処理室が設けられないため、装置構成が煩雑となることを防止することができる。したがって、装置構成が煩雑となることなく、研磨剤を効率的に回収することのできる表面処理装置および表面処理方法を提供することができる。
【図面の簡単な説明】
【００１２】
【図１】本実施形態に係る表面処理装置を示す図である。
【図２】表面処理装置のバキュームブラストヘッドおよびエア供給源を示す図である。
【図３】バキュームブラストヘッドを被処理材側から視た図である。
【図４】本実施形態に係る表面処理方法を示すフローチャートである。
【図５】補助エアなしの場合と補助エアありの場合における研磨剤の回収率を示すグラフである。
【図６】本実施形態に係る表面処理装置を、湾曲形状を備える被処理材に適用した場合の図である。
【図７】本実施形態に係る表面処理装置を、湾曲形状を備える被処理材に適用した場合の図である。
【図８】本実施形態に係る表面処理装置を、屈曲形状を備える被処理材に適用した場合の図である。
【図９】改変例に係る表面処理装置のバキュームブラストヘッドを示す図である。
【発明を実施するための形態】
【００１３】
以下、添付した図面を参照しながら、本発明の実施形態を説明する。なお、図面の説明において同一の要素には同一の符号を付し、重複する説明を省略する。図面の寸法比率は、説明の都合上誇張されており、実際の比率とは異なる場合がある。
【００１４】
本実施形態に係る表面処理装置１は、バキュームブラスト装置である。表面処置装置１は、概説すると、被処理材Ｂに研磨剤を噴射して、被処理材Ｂの表面Ｂ１にブラスト処理を行うことによって、被処理材Ｂの表面Ｂ１を粗面化する。被処理材Ｂの表面Ｂ１を粗面化することによって、接着面積が増大し、接着剤を介して接着強度が向上する。また、表面処理装置１は、被処理材Ｂに噴射された研磨剤および研磨剤を被処理材Ｂに噴射することによって生じた粉塵等を回収し、研磨剤と粉塵等を分類する。そして、再利用可能な研磨剤のみを回収して再利用する。
【００１５】
被処理材Ｂとしては、例えばＣＦＲＰ製の自動車部品が挙げられるが、特に限定されない。
【００１６】
また、研磨剤としては、アルミナ（Ａｌ２Ｏ３）、カーボランダム、川砂、珪砂、エメリー等を用いることができるが、経済的でブラスト処理が高いという観点からアルミナが好ましい。
【００１７】
図１は、本実施形態に係る表面処理装置１を示す図である。図２は、バキュームブラストヘッド１０およびエア供給源２０を示す図である。図３は、バキュームブラストヘッド１０を被処理材Ｂ側から視た図である。
【００１８】
表面処理装置１は、図１および図２に示すように、研磨剤Ｐを噴射して被処理材Ｂの表面Ｂ１を粗面化するバキュームブラストヘッド１０を有する。表面処理装置１は、バキュームブラストヘッド１０のエアカーテン形成孔１４および補助エア噴射孔１５にエアを供給するエア供給源２０を有する。また、表面処理装置１は、研磨剤Ｐが貯蔵される研磨剤タンク３０と、噴射ノズル１１に圧縮エアを供給するコンプレッサ４０と、を有する。また、表面処理装置１は、被処理材Ｂに噴射された研磨剤Ｐを回収する回収タンク５０と、研磨剤Ｐを被処理材Ｂに噴射することによって生じる粉塵等を捕集するダストコレクタ６０と、を有する。また、表面処理装置１は、回収タンク５０およびダストコレクタ６０内を負圧にする排風機７０を有する。
【００１９】
バキュームブラストヘッド１０は、図２および図３に示すように、湾曲形状の本体部１０Ａと、研磨剤Ｐが噴射される噴射ノズル１１と、被処理材Ｂに噴射された研磨剤Ｐを吸引する吸引孔１２と、を有する。また、バキュームブラストヘッド１０は、本体部１０Ａの下部に設けられるリング板１３と、噴射ノズル１１の上方に設けられる接続部１８と、を有する。
【００２０】
噴射ノズル１１は、接続部１８および研磨剤ホース３１を介して研磨剤タンク３０に連結される。また、噴射ノズル１１は、接続部１８およびエアホース４１を介してコンプレッサ４０に連結される。研磨剤ホース３１およびエアホース４１は、可撓性を備えるゴム製のチューブである。
【００２１】
このように構成された噴射ノズル１１において、コンプレッサ４０から、エアホース４１を介して、接続部１８に圧縮エアを供給する。これによって、接続部１８内が負圧になり、研磨剤ホース３０を介して研磨剤タンク３０内の研磨剤Ｐが接続部１８内に吸引される。そして、噴射ノズル１１から被処理材Ｂに向けて、研磨剤Ｐが噴射される。この結果、被処理材Ｂの表面Ｂ１がブラスト処理され、被処理材Ｂの表面Ｂ１が粗面化される。
【００２２】
吸引孔１２は、図１および図２に示すように、バキュームホース５１を介して、回収タンク５０に連結される。噴射ノズル１１から噴射された研磨剤Ｐは、吸引エアＶＡによって、バキュームホース５１を介して、回収タンク５０に吸引される。バキュームホース５１は、可撓性を備えるゴム製のチューブである。
【００２３】
リング板１３は、本体部１０Ａに連結される。本体部１０Ａおよびリング板１３の連結方法は特に限定されない。リング板１３は、図２に示すように、エアカーテンＡＣを形成するエアカーテン形成孔１４と、補助エアＨＡを噴射する補助エア噴射孔１５と、を有する。
【００２４】
エアカーテン形成孔１４は、図３に示すように、リング板１３における径方向外側に周方向に沿って複数形成される。エアカーテン形成孔１４は、エア供給源２０とともに、エアカーテン形成部１６を構成する。
【００２５】
エアカーテン形成部１６は、エア供給源２０からエアを供給されることによって、被処理材Ｂの表面Ｂ１に向けてエアを噴射して、噴射された研磨剤Ｐを取り囲むエアカーテンＡＣを形成する。エアカーテンＡＣを形成するエアの圧力は、例えば、１〜３ＭＰａであるが特に限定されない。
【００２６】
エアカーテン形成部１６によって形成されるエアカーテンＡＣは、図２に示すように、被処理材Ｂの表面Ｂ１に近づくにつれて、外方に傾斜するように形成される。このため、エアカーテンＡＣが補助エアＨＡと干渉することを防止することができ、安定したブラスト空間を形成することができる。
【００２７】
補助エア噴射孔１５は、図３に示すように、リング板１３における径方向内側に周方向に沿って複数形成される。補助エア噴射孔１５は、エア供給源２０とともに、補助エア噴射部１７を構成する。
【００２８】
補助エア噴射部１７は、エア供給源２０からエアを供給されることによって、エアカーテンＡＣおよび吸引エアＶＡの間において、被処理材Ｂに向けて、補助エアＨＡを噴射する。補助エア噴射孔１５の直径Ｄ２は、図２に示すように、エアカーテン形成孔１４の直径Ｄ１よりも小さく構成される。このため、補助エア噴射孔１５からは、エアカーテンＡＣを形成するエアよりも圧力の低い補助エアＨＡが噴射される。補助エアＨＡの圧力は、例えば、０．１ＭＰａであるが特に限定されない。このように、補助エアＨＡの圧力を、エアカーテンＡＣを形成するエアの圧力よりも低くすることによって、安定したブラスト空間を形成することができる。
【００２９】
補助エア噴射部１７によって噴射される補助エアＨＡは、図２に示すように、被処理材Ｂの表面Ｂ１に近づくにつれて、内方に傾斜するように噴射される。このため、エアカーテンＡＣおよび吸引エアＶＡの間において滞留する研磨剤Ｐを、吸引エアＶＡが作用するブラスト空間の内方に移動させることができる。よって、内方に移動されてきた研磨剤Ｐを好適に吸引することができる。したがって、研磨剤Ｐの回収効率が向上する。
【００３０】
研磨剤タンク３０は、研磨剤Ｐを貯蔵する。研磨剤タンク３０の上方には回収タンク５０が配置され、ダンプバルブ３２を介して連結されている。ダンプバルブ３２は、電磁弁（不図示）によって開閉が行われる。
【００３１】
回収タンク５０は、被処理材Ｂに噴射された研磨剤Ｐおよび研磨剤Ｐを被処理材Ｂに噴射することによって生じた粉塵等を、バキュームブラストヘッド１０の吸引孔１２を介して回収する。回収タンク５０は、研磨剤Ｐと粉塵等を分離するサイクロンによって構成される。上述したように、回収タンク５０は、ダンプバルブ３２を介して、研磨剤タンク３０に連結される。回収タンク５０において分離された研磨剤Ｐおよび粉塵等のうち、再使用可能な研磨剤Ｐは、回収タンク５０へ滞留し、ダンプバルブ３２が開いたとき、研磨剤タンク３０に移動される。
【００３２】
ダストコレクタ６０は、管６１を介して、回収タンク５０において分離された粉塵等を捕集する。ダストコレクタ６０の底部には粉塵等を集積するダストボックス６２が設けられる。ダストボックス６２は、粉塵等を廃棄するために取出し可能に設けられている。
【００３３】
排風機７０は、ダストコレクタ６０の上部に配置される。排風機７０は、不図示のモータにより回転し、ダストコレクタ６０、回収タンク５０、バキュームホース５１内を負圧にする。このため、ブラスト空間内から順に、バキュームホース５１、回収タンク５０、ダストコレクタ６０へ気流が生じる。したがって、ブラスト空間において吸引孔１２に向かう吸引エアＶＡを発生させ、被処理材Ｂに噴射された研磨剤Ｐおよび粉塵等を吸引することができる。
【００３４】
次に、図４のフローチャートを参照して、本実施形態に係る表面処理装置１を用いた表面処理方法について説明する。
【００３５】
まず、バキュームブラストヘッド１０を、被処理材Ｂの表面Ｂ１の上方のうち所定の位置に配置する（Ｓ０１）。
【００３６】
次に、エアカーテンＡＣを形成するとともに、補助エアＨＡを噴射する（Ｓ０２）。具体的には、エア供給源２０から、エアカーテン形成孔１４にエアを供給することによって、エアカーテンＡＣを形成する。また、エア供給源２０から、補助エア噴射孔１５にエアを供給することによって、補助エアを噴射する。
【００３７】
次に、研磨剤Ｐを噴射する（Ｓ０３）。具体的には、コンプレッサ４０から、エアホース４１を介して、接続部１８内に圧縮エアを供給する。この圧縮エアにより、接続部１８内および研磨剤ホース３１が負圧になる。そして、研磨剤タンク３０内の研磨剤Ｐが吸引されて噴射ノズル１１から被処理材Ｂに向けて噴射される。この結果、被処理材Ｂの表面Ｂ１がブラスト処理され、被処理材Ｂの表面Ｂ１が粗面化される。このとき、研磨剤タンク３０の上方に配置されるダンプバルブ３２は閉じており、回収タンク５０と研磨剤タンク３０との連通は遮断されている。
【００３８】
このように、エアカーテンＡＣを形成するとともに、補助エアＨＡを噴射した状態で、研磨剤Ｐを噴射することによって、図２に示すように、エアカーテンＡＣによって、研磨剤が噴射された空間が取り囲まれる。このため、ブラスト処理が行われるブラスト空間を閉空間とすることができる。よって、研磨剤Ｐが、ブラスト空間から外部に放出されることを防止できる。また、補助エアＨＡは、エアカーテンＡＣおよび吸引エアＶＡの間において、被処理材Ｂに向けて噴射される。このため、エアカーテンＡＣおよび吸引エアＶＡの間において滞留する研磨剤Ｐに対して、補助エアＨＡを噴射することができる。この結果、滞留していた研磨剤Ｐは滞留状態が解除され、吸引エアＶＡによって吸引孔１２を介して吸引される。したがって、研磨剤Ｐを効率的に回収することができる。
【００３９】
次に、被処理材Ｂの表面Ｂ１に噴射された研磨剤Ｐおよび粉塵等を回収する（Ｓ０４）。具体的には、排風機７０を回転することによって吸引エアＶＡを発生させ、ダストコレクタ６０、管６１、回収タンク５０、およびバキュームホース５１内を負圧にする。これによって、被処理材Ｂに噴射された研磨剤Ｐおよび粉塵等を、バキュームホース５１を介して回収タンク５０へ回収する。
【００４０】
次に、回収タンク５０において、研磨剤Ｐおよび粉塵等を分離する（Ｓ０５）。回収タンク５０において分離された粉塵等は、管６１を介してダストコレクタ６０へ運ばれる。そして、粉塵等は、ダストボックス６２に集積され、清浄なエアが排風機７０から大気中へ排出される。一方、回収タンク５０において分離された再使用可能な研磨剤Ｐは、回収タンク５０の下部に滞留する。
【００４１】
次に、被処理材Ｂの所定の範囲に研磨剤Ｐが噴射されたかを判断する（Ｓ０６）。被処理材Ｂの所定の範囲に研磨剤Ｐが噴射されていないと判断された場合（Ｓ０６：ＮＯ）、バキュームブラストヘッド１０を所定距離移動する（Ｓ０７）。被処理材Ｂの所定の範囲に研磨剤Ｐが噴射されたかの判断は、例えば不図示のカメラによって行うが、特に限定されない。なお、バキュームブラストヘッド１０を移動することなく、被処理材Ｂを所定距離移動してもよい。そして、バキュームブラストヘッド１０を所定距離移動した後、ステップＳ０３の工程に戻る。
【００４２】
一方、被処理材Ｂの所定の範囲に研磨剤Ｐが噴射されたと判断された場合（Ｓ０６：ＹＥＳ）、コンプレッサ４０からの圧縮エアの供給を停止する。また、ダンプバルブ３２を開くことによって、研磨剤タンク３０内の負圧を解除する。これによって、研磨剤Ｐの噴射は停止し、表面処理工程を終了する。このとき、回収タンク５０の底部に滞留している研磨剤Ｐは、研磨剤タンク３０内に落下する。このように、研磨剤Ｐを再利用することができる。
【００４３】
次に、図５を参照して、本実施形態に係る表面処理装置１および表面処理方法の効果について説明する。
【００４４】
図５は、補助エアＨＡなしの場合と、補助エアＨＡありの場合における研磨剤Ｐの回収率を示すグラフである。図５において、横軸は、補助エアＨＡがない場合とある場合を、縦軸は、研磨剤Ｐの回収率を示す。
【００４５】
図５に示すように、補助エアＨＡがない場合の研磨剤Ｐの回収率は、７５％であった。これに対して、補助エアＨＡがある場合の研磨剤Ｐの回収率は、９５％であった。このように、補助エアＨＡを噴射することによって、研磨剤Ｐの回収率は向上した。
【００４６】
以上説明したように、本実施形態に係る表面処理装置１は、バキュームブラストヘッド１０と、エアカーテン形成部１６と、補助エア噴射部１７と、を有する。バキュームブラストヘッド１０は、被処理材Ｂの表面Ｂ１にブラスト処理用の研磨剤Ｐを噴射する噴射ノズル１１、および噴射された研磨剤Ｐを吸引エアＶＡによって吸引する吸引孔１２を備える。エアカーテン形成部１６は、被処理材Ｂの表面Ｂ１に向けてエアを噴射して、噴射された研磨剤Ｐを取り囲むエアカーテンＡＣを形成する。また、補助エア噴射部１７は、エアカーテンＡＣおよび吸引エアＶＡの間において、被処理材Ｂに向けて、エアカーテンＡＣを形成するエアよりも圧力の低い補助エアＨＡを噴射する。このため、エアカーテンＡＣによって、研磨剤Ｐが噴射された空間が取り囲まれる。よって、ブラスト処理が行われるブラスト空間を閉空間とすることができ、研磨剤Ｐが、ブラスト空間から外部に放出することを防止できる。また、補助エアＨＡは、エアカーテンＡＣおよび吸引エアＶＡの間において、被処理材Ｂに向けて噴射される。このため、エアカーテンＡＣおよび吸引エアＶＡの間において滞留する研磨剤Ｐに対して、補助エアＨＡを噴射する。このとき、補助エアＨＡの圧力は、エアカーテンＡＣを形成する圧力よりも低いため、安定したブラスト空間を形成することができる。この結果、滞留していた研磨剤Ｐは、滞留状態が解除され、吸引エアＶＡによって吸引孔１２を介して回収される。したがって、研磨剤Ｐを効率的に回収することができる。また、噴射ノズル１１および被処理材Ｂの全体を覆う処理室が設けられないため、装置構成が煩雑となることを防止することができる。したがって、装置構成が煩雑となることなく、研磨剤Ｐを効率的に回収することのできる表面処理装置１を提供することができる。
【００４７】
また、上述した本実施形態に係る表面処置装置１によれば、図６〜図８に示すように、湾曲または屈曲した被処理材Ｂ１、Ｂ２、Ｂ３に対しても、エアカーテンＡＣおよびバキュームブラストヘッド１０によって、ブラスト面Ｓ１、Ｓ２、Ｓ３を覆うことができる。したがって、湾曲または屈曲した被処理材Ｂ１、Ｂ２、Ｂ３に対しても好適にブラスト処理を行うことができる。
【００４８】
また、補助エア噴射部１７によって噴射される補助エアＨＡは、被処理材Ｂの表面Ｂ１に近づくにつれて、内方に傾斜するように噴射される。このため、ブラスト空間内に滞留する研磨剤Ｐをより好適に内方に移動させる。したがって、研磨剤Ｐの回収効率がより向上する。
【００４９】
また、エアカーテン形成部１６によって形成されるエアカーテンＡＣは、被処理材Ｂの表面Ｂ１に近づくにつれて、外方に傾斜するように形成される。このため、エアカーテンＡＣが補助エアＨＡと干渉することを防止することができ、安定したブラスト空間を形成することができる。
【００５０】
また、以上説明したように本実施形態に係る表面処理方法は、被処理材Ｂの表面Ｂ１にブラスト処理用の研磨剤を噴射するとともに、噴射された研磨剤Ｐを吸引エアＶＡによって吸引する。被処理材Ｂの表面Ｂ１に向けてエアを噴射して、噴射された研磨剤Ｐを取り囲むエアカーテンＡＣを形成する。そして、エアカーテンＡＣおよび吸引エアＶＡの間において、被処理材Ｂに向けて、エアカーテンＡＣを形成するエアよりも圧力の低い補助エアＨＡを噴射する。このため、エアカーテンＡＣによって、研磨剤Ｐが噴射された空間が取り囲まれる。よって、ブラスト処理が行われるブラスト空間を閉空間とすることができ、研磨剤Ｐが、ブラスト空間から外部に放出することを防止できる。また、補助エアＨＡは、エアカーテンＡＣおよび吸引エアＶＡの間において、被処理材Ｂに向けて噴射される。このため、エアカーテンＡＣおよび吸引エアＶＡの間において滞留する研磨剤Ｐに対して、補助エアＨＡを噴射する。このとき、補助エアＨＡの圧力は、エアカーテンＡＣを形成する圧力よりも低いため、安定したブラスト空間を形成することができる。この結果、滞留していた研磨剤Ｐは、滞留状態が解除され、吸引エアＶＡによって吸引孔１２を介して吸引される。したがって、研磨剤Ｐを効率的に回収することができる。また、噴射ノズル１１および被処理材Ｂの全体を覆う処理室が設けられないため、装置構成が煩雑となることを防止することができる。したがって、装置構成が煩雑となることなく、研磨剤Ｐを効率的に回収することのできる表面処理方法を提供することができる。
【００５１】
また、補助エアＨＡは、被処理材Ｂの表面Ｂ１に近づくにつれて内方に傾斜するように噴射される。このため、ブラスト空間内に滞留する研磨剤Ｐをより好適に内方に移動させる。したがって、研磨剤Ｐの回収効率がより向上する。
【００５２】
また、エアカーテンＡＣは、被処理材Ｂの表面Ｂ１に近づくにつれて、外方に傾斜するように形成される。このため、エアカーテンＡＣが補助エアＨＡと干渉することを防止することができ、安定したブラスト空間を形成することができる。
【００５３】
本発明は、上述した実施形態のみに限定されるものではなく、特許請求の範囲内において種々改変することができる。
【００５４】
例えば、上述した実施形態では、エアカーテン形成孔１４および補助エア噴射孔１５は、リング板１３に設けられた。しかしながら、エアカーテン形成孔１４および補助エア噴射孔１５は、図９に示すように、バキュームブラストヘッド１１０の本体部１１０Ａに設けられてもよい。
【００５５】
また、上述した実施形態では、吸引孔１２は、噴射ノズル１１の径方向外方に配置された。しかしながら、吸引孔は、噴射ノズルの径方向内方に配置されてもよい。
【００５６】
また、上述した実施形態では、表面処理装置１は、被処理材Ｂの表面Ｂ１を粗面化する用途に用いられた。しかしながら、表面処理装置１は、被処理材Ｂの表面Ｂ１を、クリーニング、バリ取り、ショットピーニングする等の用途に用いられてもよい。
【００５７】
また、上述した実施形態では、エアカーテン形成孔１４および補助エア噴射孔１５は、バキュームブラストヘッド１０に設けられた。しかしながら、エアカーテン形成孔および補助エア噴射孔は、バキュームブラストヘッドと別個に設けられてもよい。
【符号の説明】
【００５８】
１    表面処理装置、
１０    バキュームブラストヘッド、
１１    噴射ノズル、
１２    吸引孔、
１４    エアカーテン形成孔、
１５    補助エア噴射孔、
１６    エアカーテン形成部、
１７    補助エア噴射部、
２０    エア供給源、
ＡＣ    エアカーテン、
Ｂ    被処理材、
Ｂ１    被処理材の表面、
ＨＡ    補助エア、
Ｐ    研磨剤、
ＶＡ    吸引エア。
【図１】
2017081730.tif 000003
【図２】
2017081730.tif 000004
【図３】
2017081730.tif 000005
【図４】
2017081730.tif 000006
【図５】
2017081730.tif 000007
【図６】
2017081730.tif 000008
【図７】
2017081730.tif 000009
【図８】
2017081730.tif 000010
【図９】
2017081730.tif 000011
【国際調査報告】
2017081730.tif 000012
2017081730.tif 000013
2017081730.tif 000014
2017081730.tif 000015